(57)【要約】【課題】  固定観念を超越した斬新かつ意外な動作を表現することで、高い興趣性とリフレッシュ効果を目視者に与えることが期待できる動態系の動物置物を提供する。【解決手段】  猫を模した動態系の動物置物１の尻尾７の上端部側を胴体部４の貫通孔６から揺動自在に突出させ、胴体部４の中空部５内では、尻尾７の他端部側に取付けた磁石７２，７３に対向して電磁コイル１２を配設する。太陽電池９に太陽光または電灯の光が照射されることにより励磁される電磁コイル１２で磁石７２，７３を吸引または反発して尻尾７を揺動させる。【選択図】        図１
0003127643.tif 000002
【実用新案登録請求の範囲】
【請求項１】
動物の種類を特定する顔を模した頭部と、この頭部に連なる少なくとも胴体部を備えた動態系の動物置物において、
該動態系の動物置物の尻尾は、前記胴体部内で揺動可能に支持されて一端部側が胴体部から突出しており、この尻尾の他端部側に磁石が取付けられ、この磁石に対向して電磁コイルが配設され、この電磁コイルを前記磁石と反発するように励磁する太陽電池を備えていることを特徴とする動態系の動物置物。
【考案の詳細な説明】
【技術分野】
【０００１】
本考案は動物置物に係り、詳しくは動態系の動物置物に関する。
【背景技術】
【０００２】
従来、目視者に興趣性とリフレッシュ効果を与える動物置物は数多く知られている。
【０００３】
前記動態置物は、静態系と動態系とに大別されて、犬や猫などのペット、豚や牛馬などの家畜あるいは狸や虎などの獣を模したものが多用されている。
【０００４】
ところで、従来の動態系の動態置物は、その頭部を揺動させる首振り式または着座姿勢で前足を揺動させる手振り式のものに限定されていた。
【０００５】
【特許文献１】特になし
【考案の開示】
【考案が解決しようとする課題】
【０００６】
このような従来の首振り式または手振り式の動態系の動物置物は、すでに目視者の固定観念の範疇にあるので、現今では高い興趣性とリフレッシュ効果を与えることが期待できない。
【０００７】
本考案は、このような観点に基づいてなされたものであって、固定観念を超越した斬新かつ意外な動作を表現することで、高い興趣性とリフレッシュ効果を目視者に与えることが期待できる動態系の動物置物を提供することにある。
【課題を解決するための手段】
【０００８】
本考案に係る動態系の動物置物は、動物の種類を特定する顔を模した頭部と、この頭部に連なる少なくとも胴体部を備えた動態系の動物置物において、該動態系の動物置物の尻尾は、前記胴体部内で揺動可能に支持されて一端部側が胴体部から突出しており、この尻尾の他端部側に磁石が取付けられ、この磁石に対向して電磁コイルが配設され、この電磁コイルを前記磁石と反発するように励磁する太陽電池を備えていることを特徴としている。
【０００９】
これによれば、太陽電池に太陽光または電灯の光が照射されることにより電磁コイルが励磁され、電磁コイルが励磁されると尻尾の他端部側に取付けた磁石は電磁コイルに吸引または反発により揺動して、胴体部から突出している尻尾の一端部側が揺動している状態を目視させることができる。
【考案の効果】
【００１０】
本考案によれば、従来の動態系の動物置物の固定観念を超越した斬新かつ意外な尻尾の揺動が表現されることにより、高い興趣性とリフレッシュ効果を目視者に与えることが期待できる。
【考案を実施するための最良の形態】
【００１１】
以下、本考案の好ましい実施形態を図面に基づいて説明する。図１は本考案の一実施形態を示す斜視図、図２は図１の縦断面図、図３は図２のＡ−Ａ矢視図、図４は尻尾の一部断面図である。図１〜図４において、動態系の動物置物１は、猫を特定する顔２を前部に模した頭部３と、この頭部３の後側に連なる胴体部４とを備え、これらは中空部５を有する一連の殻状に成形されており、胴体部４上面の後端部近傍に設けた中空部５に連通する貫通孔６から、尻尾７の上端部側（一端部側）が左右方向（図１の矢印Ｘ１，Ｘ２方向）の揺動を可能に突出している。そして、中空部５の下端開口部５ａは底板８によって塞がれ、該底板８における胴体部４よりも後方に延設された後端延出部８ａの上面には太陽電池９が装備されている。
【００１２】
なお、前記顔２、頭部３および胴体部４は、たとえば、中空部５に相当する型を作り、この型に和紙を重ねながら糊で貼り付けて和紙層１４ａを形成し、糊の乾燥後に型を抜き取る周知の張り子成形手法によって和紙層１４ａで殻状に造形したのち、和紙層１４ａの表面に所定の模様や図柄などをあしらった布地１４ｂを糊で貼り付けて覆うことにより成形される。また、前記底板８は、たとえば、厚紙からなる芯材８ｂと、この芯材８ｂを覆って糊で貼り付けられた布地８ｃとからなる。
【００１３】
前記尻尾７は、磁性金属板からなる揺動体７０と、該揺動体７０の上側に設けた円柱状の揺動目視部７１と、左右両側に振り分けて揺動体７０の下端部後面に取付けられた極性が互いに異なる一対の磁石７２，７３とを備え、揺動目視部７１と磁石７２，７３との間に揺動中心Ｏを設定した透孔７０ａを設けてある。揺動目視部７１は、たとえば発泡樹脂からなる円柱状の芯材７１ａと、この芯材７１ａの表面を覆って糊で貼り付けられた筒状の布地７１ｂとからなり、揺動体７０の上端部側を芯材７１ａに下側から挿し込むことによって、揺動体７０の上側に円柱状の揺動目視部７１が設けられる。したがって、動態系の動物置物１の完成状態では、円柱状の揺動目視部７１の略上半部が尻尾７の上端部側（一端部側）として、胴体部４の貫通孔６から左右方向（図１の矢印Ｘ１，Ｘ２方向）の揺動を可能に突出する。
【００１４】
前記尻尾７は、樹脂製のフレーム１０により揺動可能に支持される。樹脂製のフレーム１０は、水平なベース１０ａと、このベース１０ａの前後方向（図２の矢印Ｙ１，Ｙ２方向）両端部から鉛直に立ち上がって互いに対向する前壁１０ｂと後壁１０ｃとを備え、前壁１０ｂと後壁１０ｃの上端部間に揺動自在に架設した揺動軸１１を揺動体７０の透孔７０ａに挿通して、両者１１，７０を相対回動不能に一体に結合することで、尻尾７を樹脂製のフレーム１０で揺動可能に支持している。
【００１５】
前記樹脂製のフレーム１０における後壁１０ｃの前面には、揺動体７０の磁石７２，７３に対向して電磁コイル１２が配置される。電磁コイル１２は、ダイオード，トランジスタ，コンデンサ，抵抗などの回路素子（図示省略）が搭載された回路基板１３を介して太陽電池９に電気的に接続されており、電磁コイル１２に流れる電流の向きが交互に変換される。回路基板１３は樹脂製のフレーム１０の水平なベース１０ａ上に配置され、樹脂製のフレーム１０はゴム製のシート１４を介して接着材により底板８の芯材８ｂ上に鉛直姿勢で貼着固定される。
【００１６】
前記構成において、太陽電池９に太陽光または電灯の光が照射されることで、太陽電池９により発電した直流電流は、回路基板１３により電流の向きが交互に変換されて電磁コイル１２に流れ、電磁コイル１２の磁極が交互に切り替わる。図５（ａ）に示す中立状態で、端子ｐ１から端子ｐ２に向けて電流が流れた時の電磁コイル１２の磁極がＮ極であると、一対の磁石７２，７３における一方の磁石７２（Ｎ極）が反発して電磁コイル１２から離れ、逆に他方の磁石７３（Ｓ極）が電磁コイル１２に吸引されて、揺動体７０は矢印Ｒ１方向に揺動して図５（ｂ）の状態になり、ここで、電流の向きが変換されて端子ｐ２から端子ｐ１に向けて電流が流れて電磁コイル１２の磁極がＳ極に変換されると、他方の磁石７３（Ｓ極）が反発して電磁コイル１２から離れ、逆に一方の磁石７２（Ｎ極）が電磁コイル１２に吸引されて、揺動体７０は矢印Ｒ２方向に揺動して図５（ｃ）の状態になり、以後は電流の向きが交互に変換されることで、図５（ｃ）→図５（ｂ）→図５（ｃ）……の揺動が反復され、図１の胴体部４の貫通孔６から突出している尻尾７の一端部側、つまり、円柱状の揺動目視部７１が矢印Ｘ１，Ｘ２方向に揺動している状態を目視させることができる。
【００１７】
このように、従来の動態系の動物置物の固定観念を超越した斬新かつ意外な尻尾７の揺動が表現されることにより、高い興趣性とリフレッシュ効果を目視者に与えることが期待できる。なお、太陽電池９を活用していることで、電池の使用および交換なが不要になるとともに、太陽光または電灯の光を照射することによって長期間尻尾７の揺動が表現されることはいうまでもない。
【００１８】
前記実施形態では、猫の顔２を模した動態系の動物置物１で説明しているが、犬などのペット、豚や牛馬などの家畜あるいは狸や虎などの獣の顔を模した動態系の動物置物１であってもよい。また、前足および後足を省略した動態系の動物置物１で説明しているが、前足および後足を有する立ち姿勢の動態系の動物置物１であってもよい。さらに、揺動体７０の下端部後面に１つの磁石を取付け、この磁石に対向して配置した電磁コイルにパルス電流を流して、電磁コイルを間欠的に励磁し、励磁時に前記１つの磁石を反発させる電気回路構成によって尻尾７を揺動するように構成してもよい。
【図面の簡単な説明】
【００１９】
【図１】本考案の一実施形態を示す斜視図である。
【図２】図１の縦断面図である。
【図３】図２のＡ−Ａ矢視図である。
【図４】尻尾の一部断面図である。
【図５】尻尾の揺動説明図であり、図５（ａ）は中立状態を示し、図５（ｂ）は一方への揺動状態を示し、図５（ｃ）は他方への揺動状態を示している。
【符号の説明】
【００２０】
１  動態系の動物置物
２  顔
３  頭部
４  胴体部
５  中空部
７  尻尾
９  太陽電池
１２  電磁コイル
７２  磁石
７３  磁石
【図１】
0003127643.tif 000003
【図２】
0003127643.tif 000004
【図３】
0003127643.tif 000005
【図４】
0003127643.tif 000006
【図５】
0003127643.tif 000007